(57)【要約】【課題】フィルターの油汚れを軽減し掃除を容易にするレンジフードを提供する。【解決手段】吸込口１と吐出口４とモータ５と送風ファン６とフィルター８からなるレンジフードにおいて、油受け１４と油受け槽１３と吹出しノズル９と循環ポンプ１２と循環チューブ１１からなる油供給装置を備えている。この油供給装置のフィルター８に吹出しノズル９から予め油を供給させることで、フィルター８に油の被膜を形成することで、調理時の排気ガスに含まれる油煙によるフィルター８の油汚れを抑制し常にきれいな状態が維持できるフィルターを有したレンジフードとなる。【選択図】図１
2007271193.tif 000002
【特許請求の範囲】
【請求項１】
調理器の上方または周囲に設置され、調理時に発生する排気ガスを吸込む吸込口と排気ガスを室外に吹出す吐出口と排気ガスを吸込み室外に吹出すための排気ファンと前記吸込み口と前記排気ファンの間の通風路内に設置されたフィルターを具備したレンジフードにおいて、前記フィルターが油により被膜されていることを特徴とするレンジフード。
【請求項２】
油を循環させて使用することを特徴とする請求項１記載のレンジフード。
【請求項３】
油を前記フィルターに循環させる油を溜める油受け槽と循環ポンプと循環チューブと吹出しノズルを備えたことを特徴とする請求項１または２記載のレンジフード。
【請求項４】
循環ポンプにろ過用フィルターを設けたことを特徴とする請求項３記載のレンジフード。
【請求項５】
油受け槽にメッシュ機構を備えたことを特徴とする請求項３または４記載のレンジフード。
【請求項６】
循環チューブの吹出しノズルが複数あることを特徴とする請求項３〜５のいずれかに記載のレンジフード。
【請求項７】
油を噴霧することを特徴とする請求項３〜６のいずれかに記載のレンジフード。
【請求項８】
油をフィルターの上部から供給することを特徴とする請求項３〜７のいずれかに記載のレンジフード。
【請求項９】
吹出しノズルが可動することを特徴とする請求項３〜８のいずれかに記載のレンジフード。
【請求項１０】
フィルターが可動することを特徴とする請求項３〜９のいずれかに記載のレンジフード。
【請求項１１】
油受け槽の汚れを検知出来ることを特徴とする請求項３〜１０のいずれかに記載のレンジフード。
【請求項１２】
親油処理機能のあるフィルターを用いることを特徴とする請求項１〜１１のいずれかに記載のレンジフード。
【請求項１３】
油を前記フィルターに供給する時間を制御することを特徴とする請求項３〜１２のいずれかに記載のレンジフード。
【請求項１４】
油を前記フィルターに供給する供給量を制御することを特徴とする請求項３〜１２のいずれかに記載のレンジフード。
【請求項１５】
油を前記フィルターに供給する時間および供給量を制御することを特徴とする請求項３〜１２のいずれかに記載のレンジフード。
【請求項１６】
油受け槽以外に油を溜めておくことが出来るようにしていることを特徴とするレンジフード。
【請求項１７】
油に抗酸化油を使用することを特徴とする請求項１〜１６のいずれかに記載のレンジフード。
【発明の詳細な説明】
【技術分野】
【０００１】
本発明はレンジフードの汚れ除去に関するものである。
【背景技術】
【０００２】
従来より、レンジフードには調理で発生する油煙や埃等を捕集する目的として、フィルターなどが取り付けられていた。このフィルターは使用とともに汚れが付着するため、性能が低下したり、捕集部から油垂れが生じるので、定期的な掃除を行う必要があった。また市販されている使い捨ての不織布を吸込み口に貼り付けるなどで掃除の手間を軽減することなどが行われている。
【０００３】
また、これら掃除の手間を軽減する目的で、フィルターに対し洗浄成分を含んだ液体を供給することで、フィルター部の清掃させることがあった（例えば、特許文献１参照）。
【０００４】
以下、その排気装置について、図８を参照しながら説明する。
【０００５】
図８に示すように、レンジフードのフィルター付送風機ユニット１０１を備え、前記フィルター付送風機ユニット１０１に取付けたフィルター１０２と、ユニット本体１０１内に設けた送風機１０３と、フィルター１０２の下部に沿って設けた洗浄液受皿１０４と、この洗浄液受皿１０４内の洗浄液が落下する洗浄液槽１０５と、フィルター１０２の上部に沿って設けた洗浄液樋１０６と、前記洗浄液槽１０５内の洗浄液を洗浄液樋１０６に送る液体ポンプ１０７より構成したことを特徴とするフィルター清掃装置を備えている。フィルター付送風機ユニット１０１をフード体に取付けることでフィルター清掃装置を備えたレンジフードとなり、液体ポンプ１０７で洗浄液を洗浄液樋１０６に供給することで洗浄液樋１０６内の洗浄液がフィルター１０２に沿って流れ、それによってフィルター１０２に付着した油分等を洗浄してフィルター１０２を清掃できる方法である。
【特許文献１】特開平１０−１４８３６９号公報（第１図）
【発明の開示】
【発明が解決しようとする課題】
【０００６】
このような従来のレンジフードでは、掃除を行うまでの間隔は任意であるためフィルター面に付着した汚れは長期間放置した場合、酸化し硬化することで固着してしまう。そのため、容易に洗浄成分を含有した洗浄液を供給したとしても容易には清浄できないという課題がある。また、洗浄液を用いる場合、清掃時に毎回、供給しなくてはならないといった課題がある。
【０００７】
これらの課題を解決するのため、掃除の間隔が長くなった場合において、フィルター面に付着した汚れが硬化することのないレンジフードを提供することを目的としている。また、掃除時において洗浄成分を含有した洗浄液を清掃時に毎回、供給することを必要としないことを特徴としたレンジフードを提供することを目的としている。
【課題を解決するための手段】
【０００８】
本発明のレンジフードは、上記目的を達成するために、吸込口と吐出口と排気ファンとフィルターを具備したレンジフードにおいて、前記フィルターに供給する供給油を有することを特徴とするレンジフードとしたものである。
【０００９】
この手段により、フィルター部は供給油により常に湿潤状態となり排気ガス内に含まれる油煙がフィルター部に付着した場合においても、フィルター部の素材に固着することなく油となじむことにより汚れのつくことを防ぐことができ、お掃除の頻度をが少なくてすむレンジフードを提供することができる。
【００１０】
また、他の手段は供給油を循環させて使用することを特徴としたものである。この手段により、フィルター部に供給する油量を減らすことができるレンジフードを提供することができる。
【００１１】
また、他の手段は供給油を前記フィルターに循環させるための油受け槽と循環ポンプと循環チューブと吹出しノズルを備えたものである。この手段により、供給油を循環することができるレンジフードを提供することができる。
【００１２】
また、他の手段は循環ポンプにろ過用フィルターを設けたものである。この手段により、供給油をろ過することができるレンジフードを提供することができる。
【００１３】
また、他の手段は油受け槽にメッシュ機構を備えたものである。この手段により、供給油をろ過することができるレンジフードを提供することができる。
【００１４】
また、他の手段は循環チューブの吹出しノズルが複数あるものである。この手段により、フィルターに対し均一に供給油を供給することができるレンジフードを提供することができる。
【００１５】
また、他の手段は油を噴霧させることができるようにしたものである。この手段により、フィルターに対し均一に供給油を供給することができるレンジフードを提供することができる。
【００１６】
また、他の手段は油をフィルターの上部から供給するようにしたものである。この手段により供給油を容易にフィルターに供給することができるレンジフードを提供することができる。
【００１７】
また、他の手段は油をフィルター供給時に吹出しノズルが可動するようにしたものである。この手段により供給油をフィルター面に均一に供給することができるレンジフードを提供することができる。
【００１８】
また、他の手段は供給油をフィルター供給時にフィルターが可動することを特徴としたものである。この手段により供給油をフィルター面に均一に供給することができるレンジフードを提供することができる。
【００１９】
また、他の手段は油受け槽の汚れを検知出来るようにしたものである。この手段により循環する供給油の溜まる油受け槽の汚れを検知することができるレンジフードを提供することができる。
【００２０】
また、他の手段は親油処理が施されているフィルターを用いるものである。この手段により供給油がフィルター面に均一になじむことができるレンジフードを提供することができる。
【００２１】
また、他の手段は供給油をフィルターに供給する時間を制御するものである。この手段により汚れに応じて油をフィルターに供給することができるレンジフードを提供することができる。
【００２２】
また、他の手段は供給油をフィルターに供給する供給量を制御するものである。この手段により汚れに応じて油をフィルターに供給することができるレンジフードを提供することができる。
【００２３】
また、他の手段は供給油をフィルターに供給する時間および供給量を制御することを特徴とするものである。この手段により汚れに応じて油をフィルターに供給することができるレンジフードを提供することができる。
【００２４】
また、他の手段は油受け槽以外に油を溜めておくものである。この手段により油の補給を行うことができるレンジフードを提供することができる。
【００２５】
また、他の手段は供給油に抗酸化油を使用するものである。この手段により循環する油の酸化を遅らすことができるレンジフードを提供することができる。
【発明の効果】
【００２６】
本発明によれば調理器の上方または周囲に設置され、吸込口と吐出口と排気ファンとフィルターを具備したレンジフードにおいて、供給油を前記フィルターに対して被膜を形成させることをできる油の供給機構を備えたものである。この手段により、調理時の排気ガス中の油煙に対し予め供給された油によりフィルター面に油による被膜が形成されることにより、フィルターに付着した油がフィルター素地面に長期放置されてしまう原因により、酸化固着することなく供給油を定期的に供給することで排気ガス内の油が混在した供給油を回収することができるため掃除の手間が少なく、洗浄成分を含有した洗浄液を清掃時に毎回、供給することを必要としないレンジフードを提供できる。
【００２７】
すなわち、フィルター面をきれいに保つことができ、掃除時において洗浄成分を含有した洗浄液を清掃時に毎回、供給することを必要としないレンジフードを提供することができる。
【００２８】
また、他の手段は供給油を循環させて使用することが出来るようにされているものである。この手段により、調理時の排気ガス中の油煙をフィルターに付着させた後に供給油を循環させることで、フィルターに付着した油を回収することができるレンジフードを提供できる。
【００２９】
また、他の手段はフィルターに循環させる供給油を溜める油受け槽と循環ポンプと循環チューブと吹出しノズルを設置されているものである。この手段により、調理時の排気ガス中の油煙をフィルターに付着させた後に供給油を循環させることで、フィルターに付着した油を回収することができるレンジフードを提供できる。
【００３０】
また、他の手段は循環ポンプにろ過用フィルターを設けたものである。この手段により、フィルターに付着させた後に供給油を循環させる場合、供給油の汚れをろ過した後に供給することができるレンジフードを提供できる。
【００３１】
また、他の手段は油受け槽にメッシュ機構を備えたものである。この手段により、フィルターに付着させた後に油を循環供給させる場合、汚れをろ過した後に供給することができるレンジフードを提供できる。
【００３２】
また、他の手段は循環チューブの吹出しノズルが複数備えたものである。この手段により、供給油をフィルター面に均一に供給することができるレンジフードを提供できる。
【００３３】
また、他の手段は供給油を噴霧させることができるようにしたものである。この手段により、供給油をフィルター面に均一に供給することができるレンジフードを提供できる。
【００３４】
また、他の手段は供給油をフィルターの上部から供給するようにしたものである。この手段により、容易に供給油をフィルターに付着させることができるレンジフードを提供できる。
【００３５】
また、他の手段は供給油をフィルター供給時に吹出しノズルが可動するようにしたものである。この手段により、供給油をフィルター面に均一に供給することができるレンジフードを提供できる。
【００３６】
また、他の手段は供給油をフィルター供給時にフィルターが可動するようにしたものである。この手段により、供給油をフィルター面に均一に供給することができるレンジフードを提供できる。
【００３７】
また、他の手段は油受け槽の汚れを検知出来るようにしたものである。この手段により、供給油を清潔に保つことが出来るレンジフードを供給することができる。
【００３８】
また、他の手段は親油処理が施されているフィルターとしたものである。この手段により、供給される供給油がフィルター面に均一に供給されることが出来るレンジフードを供給することができる。
【００３９】
また、他の手段は供給油をフィルターに供給する時間を制御するものである。この手段により、供給される供給油がフィルター面に均一に供給されることが出来るレンジフードを供給することができる。
【００４０】
また、他の手段は供給油をフィルターに供給する供給量を制御するものである。この手段により、供給される供給油がフィルター面に均一に供給されることが出来るレンジフードを供給することができる。
【００４１】
また、他の手段は供給油をフィルターに供給する時間および供給量を制御するものである。この手段により、供給される供給油がフィルター面に均一に供給されることが出来るレンジフードを供給することができる。
【００４２】
また、他の手段は油受け槽以外に油を溜めておくことが出来るようにしているものである。この手段により、供給油を都度追加供給することが不要となるレンジフードを供給することができる。
【００４３】
また、他の手段は供給油に抗酸化油を使用するものである。この手段により、供給される供給油が酸化により硬化することがないレンジフードを供給することができる。
【発明を実施するための最良の形態】
【００４４】
本発明の請求項１記載の発明は、調理器の上方または周囲に設置され、吸込口と吐出口と排気ファンとフィルターを有し、前記フィルターを前記吸込口と前記排気ファンの間に設けたレンジフードにおいて、前記フィルター面に供給油による被膜が形成できるように供給油と前記供給油を前記フィルターに供給するためのチューブと吹出しノズルを供えた油供給装置を用いることによりフィルター面に油による薄い被膜が形成される。調理開始後に油煙を含んだ排気ガスが、排気ファンの運転により吸込口から吸込まれた後に、フィルター面に衝突することにより、排気ガス中の油成分がフィルター面に付着することになる。このとき、付着した油はフィルターの油の被膜と容易になじむためフィルター上にとどまることがない。また、供給油を追加供給することにより、排気ガスの油を含んだ供給油は、フィルター面に供給され新たに油の被膜を形成し、余分な汚れを含んだ油は重力により下方向に異動しフィルター下部に設けた油受けで回収することができるという作用を有する。
【００４５】
また、本発明の請求項２記載の発明は、請求項１の内容の供給油を循環させる循環ポンプと循環チューブと吹出しノズルと油受け槽を使用することで、フィルターに付着した油を効果的に回収することができるという作用を有する。
【００４６】
また、本発明の請求項３記載の発明は、請求項１または２の内容について、金属フィルターと樹脂性の油受け槽と循環ポンプと樹脂性循環チューブと吹出しノズルを備えることにより、フィルターに付着した油を効率的に回収することができるという作用を有する。
【００４７】
また、本発明の請求項４に記載の発明は、請求項１〜３のいずれかに記載の内容に加え、油受け槽内の循環ポンプにろ過用フィルターを設けたものである。この手段により供給油内のゴミを取り除いた油を循環させることができるいう作用を有する。
【００４８】
また、本発明の請求項５に記載の発明は、請求項１〜４のいずれかに記載の内容に加え油受け槽に開口部を有する金属製や樹脂製の網形状のメッシュ機構を備えたものである。この手段によりフィルターに排気ガスが付着した油内のゴミを取り除いた供給油を循環させることができるいう作用を有する。
【００４９】
また、本発明の請求項６に記載の発明は、請求項１〜５のいずれかに記載の内容に加え循環チューブの吹出しノズルがフィルター面に対し複数設置されているものである。この手段により複数の吹出口から供給された供給油がフィルター面に均一に供給することができるという作用を有する。
【００５０】
また、本発明の請求項７に記載の発明は、請求項１〜６のいずれかに記載の内容に加え供給油を噴霧させることができるノズルと供給油を高圧で供給することができる循環モータを備えるものである。この手段によりフィルターに対し、供給油が均一に供給することができるという作用を有する。
【００５１】
また、本発明の請求項８に記載の発明は、請求項１〜７のいずれかに記載の内容に加え供給油をフィルターの上部から供給することができるような油槽を有するものである。この手段により新規の機器を追加することなく、供給油が重力により自然にフィルター面に供給することができるという作用を有する。
【００５２】
また、本発明の請求項９に記載の発明は、請求項１〜８のいずれかに記載の内容に加え油をフィルター供給時に吹出しノズルを稼動できるようにしたものである。この手段によりフィルターに付着した排気ガス内の油に対し、吹出口から供給された供給油が均一に供給することができるという作用を有する。
【００５３】
また、本発明の請求項１０に記載の発明は、請求項１〜９のいずれかに記載の内容に加え油をフィルター供給時にフィルターが可動できるようにしたものである。この手段によりフィルター面に対し均一に供給油が供給できるという作用を有する。
【００５４】
また、本発明の請求項１１に記載の発明は、請求項１〜１０のいずれかに記載の内容に加え油受け槽の汚れを検知出来るような磁気式フロースイッチなどの検知手段を設けることで、油受け槽内の油量を検知するものである。油受け槽内に前記フィルターからの汚れを含んだ供給油が溜まると、油受け槽内のろ過フィルターは目詰まりを生じ、油受け槽内の油量が増加するため、前記磁気式フロートスイッチにより一定の油量となったところでスイッチが入り切りし、供給油の手入れ時期をお知らせすることができるという作用を有する。
【００５５】
また、本発明の請求項１２に記載の発明は、請求項１〜１１のいずれかに記載の内容に加えオルガノアルコキシシランを含む塗料が塗布されることで親油処理が施されているフィルターを用いるものである。この手段により供給油のフィルターのなじみがよく排気ガスの内に含まれる油の回収が向上するという作用を有する。
【００５６】
また、本発明の請求項１３に記載の発明は、請求項１〜１２のいずれかに記載の内容に供給油をフィルターに供給する時間を制御するものである。この手段により供給油がフィルター面に対して適切な被膜を形成できる油量を供給することができるという作用を有する。
【００５７】
また、本発明の請求項１４に記載の発明は、請求項１〜１３のいずれかに記載の内容に供給油をフィルターに供給する供給量を制御するものである。この手段により供給油がフィルター面に対して適切な被膜を形成できる油量を供給することができるという作用を有する。
【００５８】
また、本発明の請求項１５に記載の発明は、請求項１〜１４のいずれかに記載の内容に油を前記フィルターに供給する時間および供給量を制御するものである。この手段により循環油がフィルター面に対して適切な被膜を形成できる油量を供給することができるという作用を有する。
【００５９】
また、本発明の請求項１６に記載の発明は、請求項１〜１５のいずれかに記載の内容に油受け槽以外に油を溜めておくことが出来るような容器をレンジフード本体内に備えるものである。この手段により供給油を都度補給せずに供給油の適正量を維持することができるという作用を有する。
【００６０】
また、本発明の請求項１７に記載の発明は、請求項１〜１６のいずれかに記載の内容にフィルターへの供給する供給油にＬ−アスコルビン酸やアスコルビン酸ステアリン酸エステルなどの抗酸化油を使用するものである。この手段により供給される油の酸化による硬化が抑制されるという作用を有する。
【００６１】
（実施の形態１）
本発明の実施の形態１を図１〜図７を用いて説明する。図１は本発明の実施の形態１に係わるレンジフードの側面断面図を示す。図２に同正面図を示す。図１に示すように、調理器（図示せず）の上方または周囲に下面に、調理器から発生する油煙や周囲に浮遊する埃を捕集する吸込口１を設けたフード２を設置し、フード２には、天面に屋外と連通したダクト３を介して連通する吐出口４を設け、フード２内部にモータ５と排気ファン６を配設し、この排気ファン６を介し吸込口１と吐出口４を結ぶ通風路７を形成し、この通風路７内に排気ガスの油煙を付着させるフィルター８とが親油処理され設置されている。
【００６２】
フィルター８は親油性を有するオルガノアルコキシシランを塗布した金属板で複数の微小な開口が備えられている。また、油の吹出しノズル９と循環チューブ１０と循環用油のろ過フィルター１１と循環ポンプ１２と循環油の油受け槽１３からなる油供給装置を備えている。
【００６３】
図２にフィルター８の下部には樋形状を有しフィルター８から滴下した油を受けることができる油受け１４が３パーセント勾配で備えられ、油受け１４で受けた油は油受け槽１３に回収できるようなっている。フィルター８は、金属製で出来ておりフード２本体とは、留め具とマグネットで保持されており、任意に取り外しが可能となっている。
【００６４】
また、図３に油受け槽１３について示す。この油受け槽１３は、紙や多孔素材を有する素材で作られたろ過フィルター１１を備えるとともに、油受け槽の汚れ検知手段として磁気式フロートスイッチ１５を備える。
【００６５】
また、供給油として循環する油としては抗酸化性能としてＬ−アスコルビン酸やアスコルビン酸ステアリン酸エステルなどを有する油を使用している。
【００６６】
上記構成において、調理器によって調理するとき排気ファン６の運転を開始すると、油煙はレンジフード下面の吸込口１から吸込まれ、通風路７内のフィルター８を通過時に油煙が衝突することで油滴となり、排気ガス内の油を落とした後に排気ファン６により、吐出口４からダクト３を介して屋外に排気される。このとき、油供給装置によってあらかじめ供給油が吹出しノズル９によってフィルター８に散布されることで、フィルター８には供給油により油の被膜が形成されている。そのため、排気ガス内の油煙がフィルター８に衝突することで排気ガス内の油が粒状になる場合においても、事前にフィルター８に供給油が塗布されていることでフィルター８面上に油がなじむため、従来のフィルターのように油が付着し酸化により硬化することなく流動性を保持することができ、定期的に供給油をフィルター８に供給させることにより、フィルター８に付着した油やごみなどの汚れを油受け１４に回収されることができる。このためフィルター８は常にきれいな状態を保つことができる。
【００６７】
また、油受け槽１３においては、フィルター８に付着した排気ガス中の油やゴミを油受け槽１３に回収されてくる。ゴミなどが増加し、ろ過フィルター１１を目詰まりが発生しやすくなる。このため、油受け槽１３の油量が多くなるため、磁気式フロートスイッチ１５を設けておくことにより、油量が規定値よりも増加した場合にスイッチが入ることにより、掃除が必要となることをお知らせすることができる機能をもったレンジフードとなる。
【００６８】
また、油受け槽１３のろ過フィルター１１と循環ポンプ１２の清浄化された油量が低下してきた場合、補給油タンクから供給できるようにすることも考えられる。
【００６９】
また、ろ過フィルター１１の代わりに金属板や樹脂などにより１ミリ平方メートル程度の目の細かさを有したメッシュ形状の素材を用いることも考えられる。
【００７０】
これらの油受け槽１３やフィルター８は、通常は、この供給油により清浄を保っているが、着脱は自由に出来るため清掃をおこなうことも可能である。
【００７１】
また、吹出しノズル９が複数ある場合においても同様の効果が得られるほか、吹出しノズルがモータによる駆動装置１６と金属ワイヤーを用いて前後、もしくは左右に周期的に可動させることでフィルター８に均一に供給油が供給できるようになるレンジフードが考えられる（図４参照）。
【００７２】
また、図５のように吹出しノズル９が通風路７内のフィルター８よりも風上側に設置し噴霧させることも考えられる。また、供給油を供給時にフィルター８の端部以外からから供給油が滴下しないようにフィルター８が移動し垂直の状態にすることが出来るようにモータを用いた駆動装置１６を備える場合（図６参照）や、駆動装置１６を使用し金属レールを用いたスライド機構１７を用いてフィルター８と油受け１４を一体化して振り子のように可動させる（図７参照）ことによりにフィルター８に均一に供給油を供給させ、フィルター８の端部以外からの滴下を防ぐことが考えられる。
【００７３】
また、フィルター８に均一にするために、フィルター８と油受け１４および吹出しノズル９の可動と循環ポンプ１２の出力や運転時間を連動させることも考えられる。供給油の供給を間欠運転とする場合や、供給油を増加させる場合にフィルター８面を垂直にすることにより、フィルター８端部以外から供給油が滴下しないようにすることなどが考えられる。また、排気ファン６の運転状況対して供給油を供給できるようし、一定時間の排気ファン稼動がなされた後には自動的に供給油がフィルター８に供給されることも考えられる。また、一定間隔ごとに自動的に供給油を供給することも考えられる。
【００７４】
また、排気ファン６連続運転が１時間以上の連続運転がなされた場合においても、フィルター８への供給油の供給を行うことが出来るようにするなども考えられる。
【００７５】
また、循環ポンプ１２を用いることなくフィルター８に油を供給する手段として、油受け槽１３をフィルター８の上部に設置することも考えられる。油受け槽１３を上部に設置することにより容易にフィルター８面に供給油を供給することも考えられる。この場合は供給油の循環は出来ないため、別途油受け槽１３が油受け１４の下部に必要となる。
【００７６】
また、油受け槽１３をフィルタ−８の下部に設ける場合にもおいても一定量の供給油を保管しておけるタンクをフード２内に設けておくことも考えられる。この場合、任意に油受け槽１３の掃除により油受け槽１３内の供給油を廃棄させた場合においても自動的に油受け槽１３に供給されるため掃除のたびに供給油を補充する必要がなくなる。
【００７７】
また、磁気式フロートスイッチ１５においては、規定の油量によりも減った場合にお知らせを行う場合も考えられる。
【００７８】
また、油受け槽の検知手段としては、循環ポンプ１２の消費電力と供給油量から油の供給量の低下を検知させることも考えられる。また、油受け槽１３においては、一部透明の形状の素材を用いることで、目視により判断することも考えられる。
【産業上の利用可能性】
【００７９】
通風路内のフィルターに油を保持する構成により、油煙の汚れを防ぐことに適用することができる。
【図面の簡単な説明】
【００８０】
【図１】本発明の実施の形態１におけるレンジフードを示す側面断面図
【図２】本発明の実施の形態１における正面図
【図３】本発明の実施の形態１における油受け槽内を示す断面図
【図４】本発明の実施の形態１における吹出しノズル可動を示す断面図
【図５】本発明の実施の形態１における吹出しノズルの噴霧を示す断面図
【図６】本発明の実施の形態１におけるフィルター可動を示す断面図
【図７】本発明の実施の形態１におけるフィルター、油受けの可動を示す断面図
【図８】従来の排気装置を示す図
【符号の説明】
【００８１】
１    吸込口
２    フード
３    ダクト
４    吐出口
５    モータ
６    排気ファン
７    通風路
８    フィルター
９    吹出しノズル
１０  循環チューブ
１１  ろ過フィルター
１２  循環ポンプ
１３  油受け槽
１４  油受け
１５  磁気式フロートスイッチ
１６  駆動装置
１７  スライド機構
【図１】
2007271193.tif 000003
【図２】
2007271193.tif 000004
【図３】
2007271193.tif 000005
【図４】
2007271193.tif 000006
【図５】
2007271193.tif 000007
【図６】
2007271193.tif 000008
【図７】
2007271193.tif 000009
【図８】
2007271193.tif 000010